(57)【特許請求の範囲】
【請求項１】
被記録媒体を収容する媒体収容部と、
前記媒体収容部の壁部と、
前記媒体収容部に設けられ、前記被記録媒体の端部位置を内面で規制する移動可能なエッジガイドと、
前記壁部に設けられ、前記エッジガイドの内面を収容可能な切欠き部と、を有することを特徴とする媒体収容カセット。
【請求項２】
被記録材媒体を収容する媒体収容部と、
前記媒体収容部の壁部と、
前記媒体収容部に設けられ、前記被記録媒体の端部位置を規制する移動可能なエッジガイドと、
前記壁部に設けられ、前記エッジガイドを収容可能な切欠き部と、を有し、
前記エッジガイドは、傾き変形防止部を備えていることを特徴とする媒体収容カセット。
【請求項３】
請求項１または２に記載された媒体収容カセットにおいて、
前記媒体収容部に設けられ中心位置合わせ構造の第１エッジガイド及び第２エッジガイドを備え、
前記第１エッジガイド及び前記第２エッジガイドは、厚みが異なり、
少なくとも厚みが厚い方のエッジガイドは、前記切欠き部に収容可能であり、
少なくとも厚みが薄い方のエッジガイドは、傾き変形防止部を備えていることを特徴とする媒体収容カセット。
【請求項４】
請求項３に記載された媒体収容カセットにおいて、
前記厚みが薄い方のエッジガイドは、媒体収容カセットの前記媒体収容部と同色で形成され、前記厚みが厚い方のエッジガイドは、媒体収容カセットの前記媒体収容部と異なる色で形成されていることを特徴とする媒体収容カセット。
【請求項５】
被記録媒体を収容する媒体収容部と、前記媒体収容部の壁部と、前記媒体収容部に設けられ、前記被記録媒体の端部位置を内面で規制する移動可能なエッジガイドと、を備える媒体収容カセットが被装着部に装着される構造の記録装置であって、
前記媒体収容カセットは、前記壁部に設けられ前記エッジガイドの内面を収容可能な切欠き部を有することを特徴とする記録装置。
【請求項６】
請求項５に記載された記録装置において、
前記媒体収容部に設けられ中心位置合わせ構造の第１エッジガイド及び第２エッジガイドを備え、
前記第１エッジガイド及び第２エッジガイドがスライド移動する移動線上における前記壁部の一方の外側近傍に当該記録装置の他の構成部材が配置されており、
前記他の構成部材に面する位置の前記エッジガイドの厚みは、他方のエッジガイドの厚みより薄く形成されていることを特徴とする記録装置。
【請求項７】
請求項５または６に記載された記録装置において、
前記媒体収容部に設けられ中心位置合わせ構造の第１エッジガイド及び第２エッジガイドを備え、
前記第１エッジガイド及び第２エッジガイドがスライド移動する移動線上における前記壁部の一方の外側近傍に当該記録装置の他の構成部材が配置されており、
前記被装着部と前記他の構成部材の各領域は、該記録装置の骨格材であるベースフレームで仕切られており、
該ベースフレームの、前記媒体収容カセットの前記壁部と前記他の構成部材との間の部位は、板状で且つ前記壁部に沿って延設されていることを特徴とする記録装置。
【発明の詳細な説明】
【技術分野】
【０００１】
本発明は、被記録媒体を収容する媒体収容部と、前記媒体収容部に設けられ中心位置合わせ構造の第１エッジガイド及び第２エッジガイドとを備える媒体収容カセット及び該媒体収容カセットが装着される構造の記録装置に関するものである。
【背景技術】
【０００２】
ファクシミリやプリンター、複写機等で代表される記録装置には、用紙等の被記録媒体を収容する媒体収容部にエッジガイド装置を備える媒体収容カセットが装着される構造のものがある。  
この種の媒体収容カセットの従来技術として、下記特許文献１に示す特開２００８−１６２７６２号公報に記載されているものがある。ここに記載されている媒体収容カセットは、対を成す第１エッジガイド及び第２エッジガイドが両者の中心となる位置を基準とし、該中心位置を中心にして対称に位置するように連動して同じ量だけ変位する。
【０００３】
具体的には、ラックピニオン機構を採用し、第１エッジガイドと第２エッジガイドの双方にラックを形成すると共に双方のラックの間にピニオン歯車を配置する。これにより、一方のエッジガイドを操作すれば、他方のエッジガイドが相反する方向に移動するので、ユーザーは一方のエッジガイドを操作することで、他方のエッジガイドが連動し、適切な位置に位置決めすることができる。
【先行技術文献】
【特許文献】
【０００４】
【特許文献１】特開２００８−１６２７６２号公報
【発明の概要】
【発明が解決しようとする課題】
【０００５】
しかし、従来の媒体収容カセットは、前記第１エッジガイドと第２エッジガイドのいずれも該媒体収容カセットの側壁部とは、構造的に別個独立に形成されている。即ち、前記第１エッジガイド及び第２エッジガイドの前記被記録媒体の辺に接して該被記録媒体の搬送をガイドする各エッジガイド本体は、離間方向への移動端において、前記側壁部の内側に隣接して位置する構造である。
【０００６】
この構造では、当該媒体収容カセットに収容されることを想定されている最大幅の被記録媒体の幅方向の両外側に、前記エッジガイド本体と前記側壁部の二つの構造部材が互いに隣接して位置する、すなわち別個独立に並んで配設されている。そのため、媒体収容カセットは前記二つの構造部材が別個独立に配設されていることによって幅方向に大型化する問題がある。
【０００７】
本発明の課題は、エッジガイドを備える中心位置合わせ構造の媒体収容カセットにおける幅方向の小型化を実現することにある。また、媒体収容カセットが被装着部に装着される構造の記録装置における幅方向の大型化を防止することにある。
【課題を解決するための手段】
【０００８】
上記課題を解決するために本発明の第１の態様は、被記録材媒体を収容する媒体収容部と、前記媒体収容部に設けられ中心位置合わせ構造の第１エッジガイド及び第２エッジガイドと、を備える媒体収容カセットであって、前記第１エッジガイド及び第２エッジガイドの前記被記録媒体の辺に接してガイドする各エッジガイド本体は、離間方向への移動端において、いずれも当該媒体収容カセットの各側壁部の一部を兼ねる兼用構造であることを特徴とするものである。
【０００９】
ここで、「中心位置合わせ構造」とは、本願明細書において、対を成す第１エッジガイドと第２エッジガイドの前記被記録媒体の辺に接して該被記録媒体の搬送をガイドする各エッジガイド本体が両者の中心となる位置を基準とし、該中心位置を中心にして対称に位置するように連動して同じ量だけ互いに接近及び離間する方向に変位する構造を意味する。従って、被記録媒体のサイズに拘わらず常に前記中心位置を基準にして搬送される用紙の位置合わせが行われる構造である。  
また、「兼用構造」とは、本願明細書において、前記エッジガイド本体が前記側壁部と別個独立に存在し機能するのではなく、該エッジガイド本体が前記移動端に移動して位置したときは前記側壁部と一体となり、該側壁部の一部となって当該側壁部として機能し、一方被記録媒体の辺に接触する位置に移動して位置したときは前記側壁部と個別の存在となってエッジガイドとして機能する構造を意味する。従って、前記側壁部には前記エッジガイド本体を受け入れて前記一体化を実現するために該側壁部の一部を欠如して形成した受け部となる切欠き部や凹部が設けられている。
【００１０】
本態様によれば、前記各エッジガイドの本体は、その離間方向への移動端において、いずれも当該媒体収容カセットの各側壁部の一部を兼ねる兼用構造である。従って、該エッジガイド本体が移動端に位置するときは、側壁部の一部となって該側壁部として機能し、エッジガイドとして機能するエッジガイド本体が存在しないに等しい状態を実現することができる。  
一方、エッジガイド本体が被記録媒体の辺に接触する位置に移動して位置したときは前記側壁部と別個の存在となってエッジガイドとして機能する。  
当該兼用構造により、エッジガイドを備える中心位置合わせ構造の媒体収容カセットにおける幅方向の大型化を防止し、小型化を実現することができる。
【００１１】
本発明の第２の態様は、前記第１の態様に係る媒体収容カセットにおいて、前記第１エッジガイドのエッジガイド本体と前記第２エッジガイドのエッジガイド本体は、厚みが異なることを特徴とするものである。
【００１２】
従来の中心位置合わせ構造の媒体収容カセットは、第１エッジガイドのエッジガイド本体と第２エッジガイドのエッジガイド本体は、その厚みが同じに形成されている。しかし、前記兼用構造を実現するに際して、媒体収容カセットの周囲の構造との関係で該媒体収容カセットのコンパクト化が要請され、また操作性維持の観点からエッジガイド全体としての剛性の確保が求められる場合がある。  
本態様によれば、一方のエッジガイド本体の厚みよりも他方のエッジガイド本体の厚みを厚く或いは薄く構成し、双方とも厚く形成する或いは薄く形成することはしない。従って、前記兼用構造を実現するに際して、媒体収容カセットの前記コンパクト化とエッジガイド全体としての前記剛性の確保（強度維持）を実現することができる。
【００１３】
本発明の第３の態様は、前記第２の態様に係る媒体収容カセットにおいて、前記第１エッジガイドと第２エッジガイドの、前記エッジガイド本体の厚みが薄い方のエッジガイドは、傾き変形防止部を備えていることを特徴とするものである。
【００１４】
前記コンパクト化の要請で厚みを薄く形成されたエッジガイド本体は、剛性が低下する。そのため、該エッジガイド本体にスライド移動操作のための力を作用すると当該エッジガイド本体は傾き変形し、その結果操作抵抗が大きくなり、操作性が低下する。  
本態様によれば、前記エッジガイド本体の厚みが薄い方のエッジガイドは傾き変形防止部を備えているので、該エッジガイド本体にスライド移動のための力を作用しても当該エッジガイド本体は傾き変形する虞が少ない。従って、良好な操作性を維持することができる。
【００１５】
本発明の第４の態様は、前記第２の態様または第３の態様に係る媒体収容カセットにおいて、前記エッジガイド本体の厚みが薄い方のエッジガイドは、媒体収容カセットの前記媒体収容部と同色で形成され、前記エッジガイド本体の厚みが厚い方のエッジガイドは、媒体収容カセットの前記媒体収容部と異なる色で形成されていることを特徴とするものである。
【００１６】
本態様によれば、前記エッジガイド本体の厚みが厚い方のエッジガイドは媒体収容カセットの前記媒体収容部と異なる色で形成されているので、他方のエッジガイド本体の厚みが薄い方のエッジガイドよりも存在状態がユーザーに目立つ。従って、ユーザーが目立つ前記厚い方のエッジガイド本体を直接操作する傾向を大とすることができる。これにより、操作性良くエッジガイドをスライド移動させることができる。
【００１７】
本発明の第５の態様は、被記録媒体を収容する媒体収容部と、前記媒体収容部に設けられ中心位置合わせ構造の第１エッジガイド及び第２エッジガイドと、を備える媒体収容カセットが被装着部に装着される構造の記録装置であって、前記第１エッジガイド及び第２エッジガイドがスライド移動する移動線上における前記媒体収容カセットの側壁部の一方の外側近傍に当該記録装置の他の構成部材が配置されており、前記媒体収容カセットは、前記第１エッジガイド及び第２エッジガイドの前記被記録媒体の辺に接してガイドする各エッジガイド本体が、離間方向への移動端において、いずれも当該媒体収容カセットの各側壁部の一部を兼ねる兼用構造であることを特徴とするものである。
【００１８】
本態様によれば、当該兼用構造により、エッジガイドを備える中心位置合わせ構造の媒体収容カセットにおける幅方向の大型化を防止し、小型化を実現することができる。これにより、媒体収容カセットが被装着部に装着される構造の記録装置であって、前記第１エッジガイド及び第２エッジガイドがスライド移動する移動線上における前記媒体収容カセットの側壁部の一方の外側近傍にインクシステム等の当該記録装置の他の構成部材が配置されている記録装置における幅方向の大型化を防止することができる。
【００１９】
本発明の第６の態様は、前記第５の態様に係る記録装置において、前記他の構成部材に面する位置の前記エッジガイド本体の厚みは、他方のエッジガイド本体の厚みより薄く形成されていることを特徴とするものである。
【００２０】
本態様によれば、前記他の構成部材に面する位置の前記エッジガイド本体の厚みは、他方のエッジガイド本体の厚みより薄く形成されている。すなわち、他方のエッジガイド本体の厚みは厚く形成されており、双方とも厚く形成する或いは薄く形成することはしない。従って、媒体収容カセットの前記コンパクト化とエッジガイド全体としての前記剛性の確保を図りつつ、記録装置における幅方向の小型化を効率的に実現することができる。
【００２１】
本発明の第７の態様は、前記第５の態様または第６の態様に係る記録装置において、前記被装着部と前記他の構成部材の各領域は、該記録装置の骨格材であるベースフレームで仕切られており、該ベースフレームの、前記媒体収容カセットの前記側壁部と前記他の構成部材との間の部位は、板状で且つ前記側壁部に沿って延設されていることを特徴とするものである。  
ここで「板状」とは、文字通りの板形状に限定されず、ベースフレームの骨格材としての強度が確保されていれば、板形状を基本として貫通孔、溝、補強リブ等が設けられていてもよい。
【００２２】
本態様によれば、記録装置の骨格材であるベースフレームが、前記媒体収容カセットの前記側壁部と前記他の構成部材との間の部位は、板状で且つ前記側壁部に沿って延設されている構造（延設構造）なので、前記媒体収容カセットの前記「兼用構造」と、前記ベースフレームの「延設構造」によって、記録装置全体としての強度を確保し、且つ幅方向の大型化を効果的に防止することができる。
【図面の簡単な説明】
【００２３】
【図１】一実施例に係るエッジガイド装置を備える記録装置を示す斜視図。
【図２】一実施例に係るエッジガイド装置の第１エッジガイド周辺を拡大して示す図１中のＡ−Ａ線断面図。
【図３】一実施例に係るエッジガイド装置を備える媒体収容カセットを示す斜視図。
【図４】一実施例に係るエッジガイド装置を示す最大離間状態での平面図。
【図５】一実施例に係るエッジガイド装置を示す幅広用紙セット時の平面図。
【図６】一実施例に係るエッジガイド装置を示す幅狭用紙セット時の平面図。
【図７】一実施例に係るエッジガイド装置の取付け対象となる媒体収容部を示す要部平面図。
【図８】一実施例に係るエッジガイド装置の取付け対象となる媒体収容部を示す要部底面図。
【図９】一実施例に係るエッジガイド装置を示す底面図。
【図１０】一実施例に係るエッジガイド装置を備える媒体収容カセットを示すエッジガイド装置取付け部位周辺の分解斜視図。
【図１１】一実施例に係るエッジガイド装置の摩擦停止機構周辺を示す斜め下方からの分解斜視図。
【図１２】一実施例に係るエッジガイド装置の摩擦停止機構周辺を示す図４中のＢ−Ｂ線断面図。
【図１３】一実施例に係るエッジガイド装置の動力伝達機構と取付け構造を示す図４中のＣ−Ｃ線断面図。
【図１４】一実施例に係るエッジガイド装置の動力伝達機構と取付け構造を示す図４中のＤ−Ｄ線断面図。
【図１５】一実施例に係るエッジガイド装置を示す第１エッジガイド背面側からの斜視図。
【図１６】一実施例に係るエッジガイド装置を示す第２エッジガイド背面側からの斜視図。
【図１７】エッジガイド装置の摩擦停止機構の一実施例を示す側断面図。
【図１８】エッジガイド装置の摩擦停止機構の他の実施例を示す側断面図。
【発明を実施するための形態】
【００２４】
以下、図面を参照しながら本発明の一実施例に係る媒体収容カセット２と、該媒体収容カセット２を備える記録装置の一例であるインクジェットプリンター１について具体的に説明する。最初に図１乃至図４に基づいてインクジェットプリンター１の概略構成を説明する。
【００２５】
図１に示すように、インクジェットプリンター１は、プリンター本体の骨格材としてベースフレーム３を備えている。ベースフレーム３によって、後述する媒体収容カセット２を着脱可能に装着するためのカセット収容空間となる被装着部５と、該被装着部５の向って右側の第１領域９と、向って左側の第２領域１３とが区画されている。第１領域９には、記録ヘッドに対するキャップ装置８や吸引ポンプ等の公知のインクシステム７が一例として設けられている。第２領域１３には、図示しない歯車輪列等が一例として設けられている。
【００２６】
前記被装着部５には、被記録媒体（以下、「用紙」ともいう）Ｐを収容する媒体収容部１７と、該媒体収容部１７に対して設けられる中心位置合わせ構造の第１エッジガイド４１及び第２エッジガイド５１と、を備える媒体収容カセット２（図３）が装着される。  
また、図１及び図２に示したように、前記第１エッジガイド４１及び第２エッジガイド５１がスライド移動する移動線上における前記媒体収容部１７の向って右側の側壁部１８Ｒの外側近傍には、当該インクジェットプリンター１の他の構成部材を成すインクシステム７が前述のように配置されている。
【００２７】
前記第１エッジガイド４１及び第２エッジガイド５１は、用紙Ｐの左右の辺（エッジ）Ｅに接して実質的にガイドとして機能するエッジガイド本体４２及びエッジガイド本体５２を備えている。該エッジガイド本体４２及びエッジガイド本体５２は、離間方向Ｌへの移動端に位置している時（図４）、いずれも当該媒体収容部１７の各側壁部１８Ｒ、１８Ｌの一部を兼ねる兼用構造１４、１５になっている。  
尚、兼用構造１４、１５の詳細については後述する。
【００２８】
また、前記他の構成部材を成すインクシステム７に面する位置に存する前記第１エッジガイド４１におけるエッジガイド本体４２の厚みＴ１は、前記第２エッジガイド５１におけるエッジガイド本体５２の厚みＴ２より薄く形成されている。尚、この点については、後述する媒体収容カセット２の説明の中で詳述する。  
更に、前記ベースフレーム３における前記向って右側に位置する仕切り部１１は、板状で且つ前記向って右側に位置する側壁部１８Ｒに沿って延設されており、インクジェットプリンター１の可及的な幅寸法の減少に寄与している。
【００２９】
［実施例］
次に、図３〜図１８に基づいて上記インクジェットプリンター１の被装着部５に着脱可能に装着される本発明の一実施例に係る媒体収容カセット２の構成について具体的に説明する。  
本実施例の媒体収容カセット２は、多数枚の用紙Ｐを積畳状態で収容する媒体収容部１７と、該媒体収容部１７に収容された用紙Ｐの左右の辺Ｅに当接して該用紙Ｐを幅方向Ｂの中心で位置合わせをするエッジガイド装置２１と、を備えて構成されている。
【００３０】
媒体収容部１７は、平面視矩形状の上面が開放された浅底のトレイ状の構造である。媒体収容部１７の底板２３における奥側の上面には、後述するエッジガイド装置２１の第１エッジガイド４１のエッジガイド本体４２と、第２エッジガイド５１のエッジガイド本体５２と、を幅方向Ｂに接近、離間させるための平坦な摺接面（摺接部）６２と、該エッジガイド装置２１を取り付けるための取付け構造２２が設けられている。
【００３１】
具体的には、図７、図１０、図１３に示すように、媒体収容部１７の底板２３における奥側の上面中央部に後述する動力伝達機構３１の構成部材であるピニオン歯車３３を受け入れるピニオン歯車３３の厚さよりも浅底の平面視円形の受入れ凹部２５が設けられている。  
また、前記受入れ凹部２５の中心には、後述するピニオン歯車３３の下面の中心部から下方に向けて突出している回転軸３５に外嵌し、前記回転軸３５の周囲に設けられており、同じく下方に向けて突出している円環状の嵌合リブ３７に内嵌する円筒状の軸受部２６が上方に向けて立ち上げ形成されている。
【００３２】
また、前記受入れ凹部２５の向って左側の媒体収容部１７の底板２３には、中央に後述する第１エッジガイド４１を取り付けるためのガイド孔２８Ａが幅方向Ｂに沿って貫通形成されており、その奥側と手前側に後述する第２エッジガイド５１を取り付けるための２本のガイド孔２７Ａ、２７Ｂが前記ガイド孔２８Ａと平行に幅方向Ｂに沿って貫通形成されている。  
また、前記受入れ凹部２５の向って右側の媒体収容部１７の底板２３には、中央に後述する第２エッジガイド５１を取り付けるためのガイド孔２８Ｂが幅方向Ｂに沿って貫通形成されており、その奥側と手前側に後述する第１エッジガイド４１を取り付けるための２本のガイド孔２７Ｃ、２７Ｄが前記ガイド孔２８Ｂと平行に幅方向Ｂに沿って貫通形成されている。
【００３３】
更に、前記受入れ凹部２５の奥側と手前側には、後述する第２エッジガイド５１のガイドアーム５９を上方から規制する規制部２９Ｂと、後述する第１エッジガイド４１のガイドアーム４９を上方から規制する規制部２９Ｆと、が向い合わせで設けられている。  
そして、前記エッジガイド装置２１を前記媒体収容部１７の底板２３に取り付けるための取付け構造２２は、以下のように構成されている。
【００３４】
図４乃至図６に示したように、前記ガイド孔２８Ａと該ガイド孔２８Ａに摺動可能に嵌り込む後述する第１エッジガイド４１の係止部４８、前記ガイド孔２８Ｂと該ガイド孔２８Ｂに摺動可能に嵌り込む後述する第２エッジガイド５１の係止部５８、前記ガイド孔２７Ａと該ガイド孔２７Ａの縁を摺動可能に把持する後述する第２エッジガイド５１の把持部５７Ａ、前記ガイド孔２７Ｂと該ガイド孔２７Ｂの縁を摺動可能に把持する後述する第２エッジガイド５１の把持部５７Ｂ、前記ガイド孔２７Ｃと該ガイド孔２７Ｃの縁を摺動可能に把持する後述する第１エッジガイド４１の把持部４７Ｃ、前記ガイド孔２７Ｄと該ガイド孔２７Ｄの縁を摺動可能に把持する後述する第１エッジガイド４１の把持部４７Ｄ、更に前記規制部２９Ｂと該規制部２９Ｂに規制される後述する第２エッジガイド５１のガイドアーム５９における後縁５９Ａ、及び前記規制部２９Ｆと該規制部２９Ｆに規制される後述する第１エッジガイド４１のガイドアーム４９における前縁４９Ａとによって当該取付け構造２２が構成されている。
【００３５】
また、図３、図４に示すように、媒体収容部１７の向って左側の側壁部１８Ｌには、後述する第２エッジガイド５１が離間方向Ｌの移動端に達した時、当該第２エッジガイド５１のエッジガイド本体５２を受け入れて、該エッジガイド本体５２の内面側のガイド面５３が前記向って左側の側壁部１８Ｌの内壁面１６Ｌとほぼ面一になるように、エッジガイド本体５２を受け入れる切欠き部１９が設けられている。  
そして、この状態では前記切欠き部１９内に進入した第２エッジガイド５１のエッジガイド本体５２が、媒体収容部１７の向って左側の側壁部１８Ｌの一部を構成していることから、該エッジガイド本体５２の有するこのような構造を前述したように本明細書において兼用構造１５と定義している。
【００３６】
同じく、図３、図４に示すように、媒体収容部１７の向って右側の側壁部１８Ｒには、後述する第１エッジガイド４１が離間方向Ｌの移動端に達した時、当該第１エッジガイド４１のエッジガイド本体４２を受け入れて、該エッジガイド本体４２の内面側のガイド面４３が向かって右側の側壁部１８Ｒの内壁面１６Ｒとほぼ面一になるように第１エッジガイド４１を受け入れる凹部２０が形成されている。  
そして、この状態では前記凹部２０内に進入した第１エッジガイド４１のエッジガイド本体４２と、前記凹部２０が形成されている部位の薄肉部４２Ａと、によって媒体収容部１７の向って右側の側壁部１８Ｒの一部を構成していることから、該エッジガイド本体４２の有するこのような構造を前述したように本明細書において兼用構造１４と定義している。
【００３７】
尚、前記凹部２０が形成されている部位の向って右側の側壁部１８Ｒの高さは他の部位の側壁部１８Ｒの高さよりも幾分、低くなるように形成されている。これは、離間方向Ｌの移動端に位置している第１エッジガイド４１を内方に移動させる際に、第１エッジガイド４１の上方に立ち上げられているエッジガイド本体４２の上部を掴んで操作できるようにするためである。
【００３８】
エッジガイド装置２１は、用紙Ｐの向って右側の辺Ｅに当接して用紙Ｐの幅方向Ｂの位置合わせを実行する第１エッジガイド４１と、用紙Ｐの向って左側の辺Ｅに当接して用紙Ｐの幅方向Ｂの位置合わせを実行する第２エッジガイド５１と、前記第１エッジガイド４１と第２エッジガイド５１が図４に示す離間方向Ｌの移動端に達した状態から図５に示す幅広の用紙Ｐをセットした状態、図６に示す幅狭の用紙Ｐをセットした状態を経て接近方向Ｓの移動端に達した状態まで接近したり、図４に示す状態まで離間するように動力を伝達する動力伝達機構３１と、前記第１エッジガイド４１と第２エッジガイド５１の停止状態を維持する摩擦停止機構６１と、を備えることによって構成されている。
【００３９】
前記第１エッジガイド４１は、向って右側に配設されるエッジガイドで、前記媒体収容部１７の底板２３に形成された摺接面６２に対して摺接し、内方（図４において左方）に向けて水平に張り出すように設けられているガイドベース４５と、当該ガイドベース４５の外方端から上方に向けて垂直に立ち上げられている側面視矩形状のエッジガイド本体４２と、を備えている。  
そして、前記ガイドベース４５の下面４４の奥側には、前述したガイド孔２７Ｃの縁を摺動可能に把持する第１エッジガイド４１の把持部４７Ｃが設けられており、前記ガイドベース４５の下面４４の手前側には、前述したガイド孔２７Ｄの縁を摺動可能に把持する第１エッジガイド４１の規制部４７Ｄが設けられている。
【００４０】
また、前記ガイドベース４５のほぼ中央部には、内方に向けて水平に張り出すように平板状のガイドアーム４９が設けられている。そして、該ガイドアーム４９の下面の手前側にラック５０が幅方向Ｂに沿って設けられており、前記ガイドアーム４９の先端寄りの下面の奥側の位置に、前述したガイド孔２８Ａに摺動可能に嵌り込む、側面視逆Ｔ字形状の第１エッジガイド４１の係止部４８が下方に張り出すように設けられている。
【００４１】
エッジガイド本体４２は、直接、用紙Ｐの向って右側の辺Ｅに作用して用紙Ｐの幅方向Ｂの位置合わせをし、用紙Ｐの給送方向Ａへの搬送をガイドする部材である。  
そして、前記エッジガイド本体４２の内側の面が用紙Ｐの向って右側の辺Ｅに当接するガイド面４３になっている。  
また、前記エッジガイド本体４２の厚みＴ１は、後述する第２エッジガイド５１のエッジガイド本体５２の厚みＴ２よりも薄くに形成されている。  
【００４２】
そして、図１５に示すように、前記薄く形成されているエッジガイド本体４２の外壁面下部の前後には、エッジガイド本体４２の傾倒を防止してエッジガイド本体４２に必要な機械的強度を確保する一例として正面視三角形状のリブによって構成されている傾き変形防止部４６、４６が設けられている。
【００４３】
本実施例において、前記エッジガイド本体４２の厚みＴ１を薄くしたのは、以下の理由による。  
従来の中心位置合わせ構造の媒体収容カセットは、第１エッジガイド４１のエッジガイド本体４２と第２エッジガイド５１のエッジガイド本体５２は、その厚みが同じに形成されている。しかし、前記「兼用構造」を実現するに際して、媒体収容カセットの周囲の構造との関係で該媒体収容カセットのコンパクト化が要請され、また操作性維持の観点からエッジガイド全体としての剛性の確保が求められる場合がある。本実施例の記録装置では、前記「他の構成部材」としてインクシステム７が、図１及び図２に示したように、第１エッジガイド４１及び第２エッジガイド５１がスライド移動する移動線上における前記媒体収容部１７の向って右側の側壁部１８Ｒの外側近傍に配置されている。
【００４４】
そこで、本実施例では、前記エッジガイド本体４２の厚みＴ１を他方のエッジガイド本体５２の厚みＴ２より薄く形成することによって、前記「兼用構造」を実現するに際して、媒体収容カセット２の前記コンパクト化とエッジガイド全体としての前記剛性の確保（強度維持）を実現している。
【００４５】
これにより、第１エッジガイド４１のエッジガイド本体４２を離間方向Ｌの移動端に移動させるのに必要なストロークをベースフレーム３の前記仕切り部１１に前記エッジガイド本体４２と媒体収容部１７の向って右側の側壁部１８Ｌを介渉させることなく確保すると同時に、エッジガイド全体としての必要な剛性を確保ことができる。
【００４６】
前記第２エッジガイド５１は、向って左側に配設されるエッジガイドで、前記媒体収容部１７の摺接面６２に対して摺接し、内方（図４において右方）に向けて水平に張り出すように設けられているガイドベース５５と、当該ガイドベース５５の外方端から上方に向けて垂直に立ち上げられている側面視矩形状のエッジガイド本体５２と、を備えている。  
そして、前記ガイドベース５５の下面５４の奥側には、前述したガイド孔２７Ａの縁を摺動可能に把持する第２エッジガイド５１の把持部５７Ａが設けられており、前記ガイドベース５５の下面５４の手前側には、前述したガイド孔２７Ｂの縁を摺動可能に把持する第２エッジガイド５１の把持部５７Ｂが設けられている。
【００４７】
また、前記ガイドベース５５のほぼ中央部には、内方に向けて水平に張り出すように平板状のガイドアーム５９が設けられている。そして、該ガイドアーム５９の下面の奥側にラック６０が幅方向Ｂに沿って設けられており、前記ガイドアーム５９の先端寄りの下面手前側の位置に、前述したガイド孔２８Ｂに摺動可能に嵌り込む、側面視逆Ｔ字形状の第２エッジガイド５１の係止部５８が下方に張り出すように設けられている。
【００４８】
エッジガイド本体５２は、直接、用紙Ｐの向って左側の辺Ｅに作用して用紙Ｐの幅方向Ｂの位置合わせをし、用紙Ｐの給送方向Ａへの搬送を案内する部材である。  
そして、前記エッジガイド本体５２の内側の面が用紙Ｐの向って左側の辺Ｅに当接するガイド面５３になっている。  
また、前記エッジガイド本体５２の厚みＴ２は、既述の通り、前述した第１エッジガイド４１のエッジガイド本体４２の厚みＴ１よりも厚く形成されており、エッジガイド本体５２自体で充分な剛性を確保するようになっている。
【００４９】
特に本実施形態のように、第１エッジガイド４１と第２エッジガイド５１の形状が非対称となるよう、エッジガイド本体４２の厚みＴ１とエッジガイド本体５２の厚みＴ２とが異なる場合、第１エッジガイドと第２エッジガイドの形状を対称とする場合に比べ、一方の強度を確保しながら、他方を薄くすることができる。したがって、少なくとも一方のエッジガイドに関しては必要最低限の強度を確保することができる。一方、第１エッジガイドと第２エッジガイドの形状が対称なものであれば、両方のエッジガイドに対して必要最低限の強度が必要なる。したがって、エッジガイド本体４２とエッジガイド本体５２の厚みが異なる場合、一対のエッジガイド本体の総厚を薄くすることが可能となる。
【００５０】
尚、前記エッジガイド本体５２の奥側には、他の部位の厚みＴ２よりも厚みが薄くなっている薄肉部５２Ａが形成されている。該薄肉部５２Ａは、エッジガイド本体５２の奥側に、図示を省く他の構成部材が設けられているので、該他の構成部材との干渉を防止する目的で形成されたものである。  
これにより、前記エッジガイド本体５２のうち、前記薄肉部５２Ａの形成部位では剛性の低下が懸念される。  
しかし、図１６に示すように、本実施例では、前記薄肉部５２Ａの外壁面下部の前後に一例として正面視三角形状のリブによって構成されている傾き変形防止部５６、５６が設けられているので、該エッジガイド本体５２に対して求められる必要な機械的強度は保たれている。
【００５１】
また、前記エッジガイド本体４２の厚みＴ１の薄い第１エッジガイド４１は、媒体収容部１７と同色の一例として暗色系の色で形成されている。一方、前記エッジガイド本体５２の厚みＴ２の厚い第２エッジガイド５１は、媒体収容部１７と異なる色の一例として目立つ明色系の色で形成されている。  
このような配色にすることによってユーザーは無意識に剛性の高い第２エッジガイド５１を選択し、当該第２エッジガイド５１のエッジガイド本体５２を掴んで操作するようになり、ユーザーに前記選択を促す作用を奏する。
【００５２】
また、ユーザーが第１エッジガイド４１を選択して操作する場合も当然考えられるが、前述したように第１エッジガイド４１のエッジガイド本体４２は、傾き変形防止部４６、４６によって補強されているため、前記エッジガイド本体４２を掴んで操作することも勿論可能である。
【００５３】
次に、動力伝達機構３１の構造と作動態様及びその組付け構造と、前記第１エッジガイド４１及び第２エッジガイド５１の前記媒体収容部１７に対する取付け構造２２について説明する。
【００５４】
動力伝達機構３１は、前記媒体収容部１７の前記摺接面６２における幅方向Ｂの中央部に回転可能な状態で設けられるピニオン歯車３３と、該ピニオン歯車３３を挟んでその手前側と奥側に対向配置されている前記第１エッジガイド４１のガイドアーム４９と一体のラック５０と、前記第２エッジガイド５１のガイドアーム５９と一体のラック６０と、を備えることによって構成されている。  
そして、エッジガイド本体４２、５２のいずれか一方に、内方ないし外方に移動させる力を作用すると、当該動力伝達機構３１によってその動きに連動して他方のエッジガイド本体５２、４２が接近方向Ｓないし離間方向Ｌにスライド移動する。これにより用紙のサイズに拘わらず、前記両エッジガイド本体４２、５２のガイド面４３、５３によって決まる中心位置に用紙Ｐが位置合せされるようになっている。
イド移動するようになっている。
【００５５】
そして、図１３に示すように、本実施例では、前記ピニオン歯車３３は、ネジ等の締結手段やスナップフィット等の係合手段によって媒体収容部１７に対して組み付けられているのではなく、前述した媒体収容部１７の底板２３の上面に形成されている受入れ凹部２５内に当該ピニオン歯車３３を収容して前記軸受部２６によって前記ピニオン歯車３３の回転軸３５を回転可能な状態で支持すると共に、前記第１エッジガイド４１のガイドアーム４９と前記第２エッジガイド５１のガイドアーム５９の両方又は一方によって、前記ピニオン歯車３３を上方から押さえるようにして該ピニオン歯車３３の前記受入れ凹部２５からの脱落を防止する組付け構造が採用されている。
【００５６】
また、図４乃至図６及び図１３、図１４に示すように、前記第１エッジガイド４１及び第２エッジガイド５１の前記媒体収容部１７に対する取付け構造２２は、繰り返しになるが、媒体収容部１７に対して形成されている６本の前記ガイド孔２７Ａ、２７Ｂ、２７Ｃ、２７Ｄ、２８Ａ、２８Ｂと、２つの前記規制部２９Ｂ、２９Ｆ、第１エッジガイド４１のガイドベース４５に設けられている２つの前記把持部４７Ｃ、４７Ｄと、同ガイドアーム４９に設けられている係止部４８、第２エッジガイド５１のガイドベース５５に設けられている２つの把持部５７Ａ、５７Ｂと、同ガイドアーム５９に設けられている係止部５８と、更に第２エッジガイド５１のガイドアーム５９における後縁５９Ａ、及び第１エッジガイド４１のガイドアーム４９における前縁４９Ａとによって構成されている。
【００５７】
そして、動力伝達機構３１の上記組付け構造によって、ピニオン歯車３３を回転可能に保持するに当たってネジ等の締結手段やスナップフィット等の係合手段が省けるので、動力伝達機構３１の薄型化と部品点数の削減を実現できる。また、媒体収容カセットの裏面に前記ネジ等を設けるための固定構造が要らないので、該裏面に前記固定構造のための加工が不要となり、裏面を平坦化することが可能となり、記録装置に対する着脱の操作性を向上できる。  
また、第１エッジガイド４１及び第２エッジガイド５１の媒体収容部１７に対する上記取付け構造２２によって、ピニオン歯車３３と２本のラック５０、６０との噛合位置近傍に設けられる前記規制部２９Ｂ、２９Ｆによるガイドアーム４９、５９の押さえ作用が発現され、第１エッジガイド４１と第２エッジガイド５１のスライド移動に際してのピニオン歯車３３とラック５０、６０間の歯飛びを効果的に少ない部品点数で防止することが可能になる。
【００５８】
次に、図１０乃至図１２、図１７、図１８に基づいて前記摩擦停止機構６１の構造を説明する。該摩擦停止機構６１は、本実施例では、第２エッジガイド５１のエッジガイド本体５２に設けられている。エッジガイド本体５２には、前記ガイドベース５５の外方端の手前側の下面５４から当該エッジガイド本体５２にかけて角穴状の被取付部６５が設けられており、前記摩擦停止機構６１は当該被取付部６５に取り付けられる。
【００５９】
図１２に示すように、摩擦停止機構６１は、具体的には、前記媒体収容部１７の前記摺接面６２に接触する摩擦部材６３と、該摩擦部材６３を保持し、前記摺接面６２に接近する方向Ｃ及び後退する方向Ｄとに摺動可能に被取付部６５に取り付けられる摩擦部材ホルダー６７と、該摩擦部材ホルダー６７を前記摺接面６２に向けて付勢し、前記摩擦部材６３の接触面６４を前記摺接面６２に押し付ける付勢部材６９と、を備えて構成されている。
【００６０】
尚、摩擦部材６３としては、弾性的に軟質で柔軟に変形し、安定して所望の摩擦力を発揮し得る軟質プラスチック材料、例えば軟質ポリウレタンフォーム等が使われる。ゴム、コルクも摩擦部材６３として使用可能である。  
また、摩擦部材ホルダー６７としては、弾性的に硬質で剛性を有する公知の硬質プラスチック材料が使用可能で、付勢部材６９としては、一例として圧縮コイルバネが使われている。
【００６１】
また、図１０に示すように本実施例では、摩擦部材６３として平面視矩形のブロック状ないし板状の形状のものが使われている。勿論、円板形状等の他の形状であってもよい。
【００６２】
そして、摩擦部材ホルダー６７は、前記摩擦部材６３の周囲の四つの面８１、８３、８５、８７を保持するための凹部（保持空間）７１が前記摺接面６２と面している端部７３に形成されているブロック状の基部７５と、該基部７５の上面から上方に向けて立ち上げられている平板状の２枚のガイド片７７、７７と、前記基部７５の上面の中央部から上方に向けて立ち上げられている一例として丸棒状のバネ支持用の軸部７９と、を備えて構成されている。
【００６３】
図１０に示したように、摩擦部材ホルダー６７による前記摩擦部材６３の保持構造は、摩擦部材６３の全周（周囲の面８１、８３、８５、８７）を、該摩擦部材６３の接触面６４を摩擦部材ホルダー６７の端部７３よりも摺接面６２側に突出させた状態で覆う構造になっている。すなわち、摩擦部材６３に対応する形状の凹部７１に該摩擦部材６３を挿入して全周（周囲の面８１、８３、８５、８７）を固定保持する構造になっている。
【００６４】
本実施例によれば、摩擦停止機構６１Ａは、摩擦部材６３を保持し、摺接面６２に接近及び後退する方向に摺動可能に、エッジガイド本体５２の被取付部６５に取り付けられる摩擦部材ホルダー６７を備えている。  
従って、摩擦部材６３として弾性的に柔らかい素材（軟質ポリウレタンフォーム等）のものが用いられて、前記付勢部材６９の付勢力によって該摩擦部材６３が弾性変形してはみ出し部６３Ａができても、当該摩擦部材ホルダー６７が介在しているので、そのはみ出しは当該摩擦部材ホルダー６７の部位で起こり、エッジガイド本体５２との間ではそのはみ出しの影響は生じないように構成することが可能になる。すなわちエッジガイド本体５２の前記被取付部６５の下面５４（入り口部）に前記はみ出し部６３Ａが引っ掛からないように構成することが可能になる。これにより、弾性的に柔らかい摩擦部材６３を使っても、操作性の良いエッジガイド装置を実現することが可能になっている。
【００６５】
また、摩擦部材ホルダー６７による摩擦部材６３の保持構造を、摩擦部材６３の全周（周囲の面８１、８３、８５、８７）を覆う構造にしているので、弾性変形による前記はみ出し量を少なくすることができ、前記引っ掛かりの虞を一層低減することができる。更に、摩擦部材６３として弾性的に一層柔軟な素材を用いることが可能となり、摩擦部材６３の素材選定の自由度が増し、適切な素材を選定することで一層の操作性の向上を図ることができる。
【００６６】
ところで、エッジガイド本体５２をスライド移動させる際に、摩擦部材６３は摩擦抵抗によって移動方向の後方側に変形してはみ出ようとする。従って、摩擦部材ホルダー６７による前記摩擦部材６３の保持構造は、図１０のように全周を固定保持しなくても、少なくともエッジガイド本体５２の前記摺動方向に面する側を覆う構造であれば、前記後方側への前記はみ出しを抑制することができる。この保持構造によっても、弾性的に柔らかい摩擦部材６３を用いることによる操作性の向上を実現することができる。
【００６７】
図１７に示したように、前記摩擦部材ホルダー６７は、前記エッジガイド本体５２の被取付部６５に対して摺動可能な全範囲において、摩擦部材ホルダー６７の前記摺接面６２と面する端部７３が前記エッジガイド本体２３の下面５４よりも摺接面６２側に位置するように構成されているのがよい。  
これにより、摩擦部材６３の弾性変形によるはみ出し部６３Ａがエッジガイド本体２３との間では全く干渉しないので、弾性的に柔らかい素材の摩擦部材６３の使用が可能になり、安定して所望の摩擦力を維持でき、エッジガイド本体２３の操作性を向上できる。
【００６８】
また、図１８に示すように、摩擦部材ホルダー６７の摩擦部材６３の周囲の面８１、８３、８５、８７を保持する部位８９の厚みｔは、前記摩擦部材６３が前記摺接面６２に押し付けられた状態における弾性変形によって前記厚みｔ方向にはみ出したはみ出し部６３Ａのはみ出る量Ｓよりも大きく設定されている構成でもよい。
【００６９】
これにより、図示のようにエッジガイド本体２３の下面５４が摩擦部材ホルダー６７の端部７３よりも摺接面６２側に位置している条件下でも摩擦部材６３とエッジガイド本体２３の非接触状態が維持される。従って、図１７に示す例と同様、摩擦部材６３の弾性変形による前記はみ出し部６３Ａがエッジガイド本体２３との間では全く干渉しないので、摩擦部材６３の素材選定の自由度が増し、適切な素材を選定することで所望の摩擦力が得られ、エッジガイド本体２３の一層の操作性の向上を図ることができる。
【００７０】
そして、上記構成の媒体収容カセット２及び該媒体収容カセット２が装着可能な記録装置によれば、各エッジガイドの本体４２、５２は、その離間方向への移動端において、いずれも当該媒体収容カセット２の各側壁部１８Ｌ、１８Ｒの一部を兼ねる前記「兼用構造１４、１５」になっている。従って、該エッジガイド本体４２，５２が移動端に位置するときは、側壁部１８Ｌ、１８Ｒの一部となって該側壁部１８Ｌ、１８Ｒとして機能し、エッジガイドとして機能するエッジガイド本体４２、５２が存在しないに等しい状態を実現することができる。  
【００７１】
一方、エッジガイド本体４２、５２が用紙Ｐの辺Ｅに接触する位置に移動して位置したときは前記側壁部１８Ｌ、１８Ｒと別個の存在となってエッジガイドとして機能する。  
当該兼用構造１４、１５により、エッジガイドを備える中心位置合わせ構造の媒体収容カセット２及び該媒体収容カセット２が装着可能な記録装置における幅方向の大型化を防止し、小型化を実現することができる。
【００７２】
また厚みの薄い第１エッジガイド４１のエッジガイド本体４２に対しては、傾き変形防止部４６によって剛性が補強されているから、第１エッジガイド４１に求められる必要な機械的強度は確保されている。
【００７３】
［他の実施例］
本発明に係る媒体収容カセット２、該媒体収容カセット２を備える記録装置１は、以上述べたような構成を基本とするものであるが、上記構成に限定されないことは勿論である。
【００７４】
例えば、前記第１エッジガイド４１のエッジガイド本体４２に対して適用した傾き変形防止部４６としては、図示のような正面視三角形状のリブに限らず四角形状等、他の形状のリブであってもよい。また、傾き変形防止部４６の数は２つに限らず、３つ以上でもよいし、幅広の傾き変形防止部４６を使用する場合には、単一の傾き変形防止部４６とすることも可能である。
【００７５】
また、第２エッジガイド５１を操作側のエッジガイドであることをユーザーに促す手段としては、前記実施例のような色分けによる手段の他、第２エッジガイド５１におけるエッジガイド本体５２の一部に指を掛ける凹部を設けて形状的に目立つようにしたり、操作側であることを示す図記号や注意書き等をエッジガイド本体５２に対して表示する手段等を採用ないし併用することが可能である。
【００７６】
この他、本発明の媒体収容カセット２は、インクジェットプリンター１に限らず、レーザープリンター等、他の記録装置の媒体収容カセットとして使用したり、記録を伴わない他の装置の被給送媒体用の媒体収容カセットとして使用することが可能である。  
また、被記録媒体は、用紙Ｐに限らずポリエステルフィルム等の合成樹脂フィルム等であってもよいし、第１エッジガイド４１等との干渉が問題となる記録装置の他の構成部材としては、インクシステム７に限らず歯車輪列、電子基板、モーター、スイッチ、センサー、インク回収タンク等、第１領域９に収容が可能な種々の構成部材が含まれる。
【符号の説明】
【００７７】
１  インクジェットプリンター（記録装置）、２  媒体収容カセット、
３  ベースフレーム、５  被装着部、７  インクシステム（他の構成部材）、
８  キャップ装置、９  第１領域、１１  仕切り部、１３  第２領域、
１４  兼用構造、１５  兼用構造、１６Ｌ、１６Ｒ  内壁面、１７  媒体収容部、
１８Ｌ、１８Ｒ  側壁部、１９  切欠き部、２０  凹部、２１  エッジガイド装置、
２２  取付け構造、２５  受入れ凹部、２６  軸受部、２７  ガイド孔、
２８  ガイド孔、２９  規制部、      ３１  動力伝達機構、３３  ピニオン歯車、
３５  回転軸、３７  嵌合リブ、      ４１  第１エッジガイド、
４２  エッジガイド本体、４２Ａ  薄肉部、４３  ガイド面、４４  下面、
４５  ガイドベース、４６  傾き変形防止部、４７  把持部、４８  係止部、
４９  ガイドアーム、４９Ａ  前縁、５０  ラック、５１  第２エッジガイド、
５２  エッジガイド本体、５２Ａ  薄肉部、５３  ガイド面、５４  下面、
５５  ガイドベース、５６  傾き変形防止部、５７  把持部、５８  係止部、
５９  ガイドアーム、５９Ａ  後縁、６０  ラック、６１  摩擦停止機構、
６２  摺接部、６３  摩擦部材、６３Ａ  はみ出し部、６４  接触面、
６５  被取付部、６７  摩擦部材ホルダー、６９  付勢部材、７１  保持空間、
７３  端部、７５  基部、７７  ガイド片、７９  軸部、８１  周囲の面、
８３  周囲の面、８５  周囲の面、８７  周囲の面、８９  保持する部位、
Ｐ  用紙（被記録媒体）、Ｅ  辺（エッジ）、Ａ  給送方向、Ｂ  幅方向、
Ｃ  接近する方向、Ｄ  後退する方向、Ｌ  離間方向、Ｓ  接近方向、Ｔ１  厚み、
Ｔ２  厚み、ｔ  厚み、       Ｑ  はみ出し量
【図１】
0005574100.tif 000002
【図２】
0005574100.tif 000003
【図３】
0005574100.tif 000004
【図４】
0005574100.tif 000005
【図５】
0005574100.tif 000006
【図６】
0005574100.tif 000007
【図７】
0005574100.tif 000008
【図８】
0005574100.tif 000009
【図９】
0005574100.tif 000010
【図１０】
0005574100.tif 000011
【図１１】
0005574100.tif 000012
【図１２】
0005574100.tif 000013
【図１３】
0005574100.tif 000014
【図１４】
0005574100.tif 000015
【図１５】
0005574100.tif 000016
【図１６】
0005574100.tif 000017
【図１７】
0005574100.tif 000018
【図１８】
0005574100.tif 000019